(57)【要約】【課題】円滑で合理的な調整が可能な測光装置とその製造方法および撮像装置を提供する。【解決手段】本発明の測光装置は、被写体光を測光する測光素子５４と、前記測光素子５４に前記被写体光を入射させる測光光学系５３と、を備え、カメラボディ１１に設けられる測光装置５０であって、前記カメラボディ１１に固定された第１部材４５と、少なくとも前記測光素子５４が搭載され前記第１部材４５に対して相対移動して前記測光素子５４による測光範囲を機構的に調整可能な第２部材９０と、前記測光素子５４の画素範囲内における測光に用いる画素範囲を規定することで測光範囲を調整するソフト的測光位置調整部６０と、少なくとも前記第２部材９０を覆い、締結部材によって前記第１部材４５又は前記第２部材９０に装着され、その装着によって前記第１部材４５又は前記第２部材９０に応力を作用させるカバー部材７１と、を備えることを特徴とする。【選択図】図２
2013257495.tif 000002
【特許請求の範囲】
【請求項１】
被写体光を測光する測光素子と、前記測光素子に前記被写体光を入射させる測光光学系と、を備え、カメラボディに設けられる測光装置であって、
前記カメラボディに固定された第１部材と、
少なくとも前記測光素子が搭載され前記第１部材に対して相対移動して前記測光素子による測光範囲を機構的に調整可能な第２部材と、
前記測光素子の画素範囲内における測光に用いる画素範囲を規定することで測光範囲を調整するソフト的測光位置調整部と、
少なくとも前記第２部材を覆い、締結部材によって前記第１部材又は前記第２部材に装着され、その装着によって前記第１部材又は前記第２部材に応力を作用させるカバー部材と、
を備えることを特徴とする測光装置。
【請求項２】
被写体光を測光する測光素子と、前記測光素子に前記被写体光を入射させる測光光学系と、を備え、カメラボディに設けられる測光装置であって、
前記カメラボディに固定された第１部材と、
少なくとも前記測光素子が搭載され前記第１部材に対して相対移動して前記測光素子による測光範囲を機械的に連続的に移動調整可能な第２部材と、
前記測光素子の画素範囲内における測光に用いる画素範囲を規定することで測光範囲を調整するソフト的測光位置調整部と、
前記第１部材又は前記第２部材に応力を作用させる結合部材と、
を備えることを特徴とする測光装置。
【請求項３】
請求項２に記載の測光装置であって、
少なくとも前記第２部材を覆い、前記結合部材によって、直接的または他の部材を介して間接的に前記第１部材又は前記第２部材に装着されるカバー部材を備え、
前記ソフト的測光位置調整部は、前記カバー部材の装着後に測光範囲の調整を行うように構成されていること、
を特徴とする測光装置。
【請求項４】
請求項２または請求項３に記載の測光装置であって、
前記カバー部材を装着する前記結合部材は、ビスであること、
を特徴とする測光装置。
【請求項５】
請求項２乃至請求項４の何れか１項に記載の測光装置であって、
第１部材と前記第２部材に装着する前記結合部材は、接着剤であること、
を特徴とする測光装置。
【請求項６】
請求項１乃至請求項５のいずれか１項に記載の測光装置であって、
前記第１部材は前記測光光学系を含むこと、
を特徴とする測光装置。
【請求項７】
請求項１に記載の測光装置の製造方法であって、
前記第２部材の前記第１部材に対する移動によって前記測光素子による測光範囲を前記ソフト的測光位置調整部による測光可能な範囲内に調整する第１の工程と、
前記カバー部材を前記第１部材又は前記第２部材に装着する第２の工程と、
前記ソフト的測光位置調整部によって前記測光素子による測光範囲を調整する第３の工程と、
を備えることを特徴とする測光装置の製造方法。
【請求項８】
前記被写体光を結像する撮像光学系と、
前記撮像光学系によって結ばれた像を、前記測光光学系を介して前記測光素子上に再結像させる請求項１乃至請求項６の何れか１項のいずれか１項に記載の測光装置と、
を備えることを特徴とする撮像装置。
【発明の詳細な説明】
【技術分野】
【０００１】
本発明は、測光素子によって測光を行う測光装置とその製造方法および撮像装置に関するものである。
【背景技術】
【０００２】
一眼レフタイプのカメラにおける測光装置として、ファインダスクリーンに結像した一次像を測光光学系によって測光素子（測光センサ）に導いて二次像を結像させ、被写体光量を検出するように構成されているものがある。この構成において、高い測光精度を得るためには、測光センサによる測光範囲が、撮影範囲と高精度で一致している必要がある。このため、測光センサは位置調整可能に設けられ、組み立て時において位置調整が行われる。
【０００３】
測光センサの位置調整構成としては、たとえば、測光センサ、測光光学系及び絞り開口が、絞り開口の中心を測光光学系の光軸と一致させた状態で一体に組み付けられた測光ユニットと、絞り開口の中心を回転中心として測光ユニットの傾きを調整する調整部材と、を備えるものが提案されている（特許文献１参照）。
また、測光センサにおける有効画素領域を測光範囲よりも大きく設定し、測光範囲として利用する範囲をソフトウェアによって調整する（以下、ソフト的調整と称する）ことも行われている。
【先行技術文献】
【特許文献】
【０００４】
【特許文献１】特開２０１２−２９２０号公報
【発明の概要】
【発明が解決しようとする課題】
【０００５】
測光センサの位置調整構成として、測光センサの位置調整による機械的な測光範囲の調整構成（以下、機械的調整と称する）と、ソフト的調整構成と、の両者を備え、カメラの組み立て途中の工程において機械的調整によって粗調整を行った後、外装部品を組み付け、組立終了後に測光センサの測光範囲のずれを検査する工程でソフト的調整を行って高精度に設定するものがある。
【０００６】
この場合、組み立て途中の機械的調整時における測光範囲のずれはソフト的調整の範囲内であっても、外装部品の装着等による応力の作用に起因する歪み等によってより大きな調整量が必要となることがある。このようにソフト的調整時において測光範囲のずれがソフト的調整の調整代を超えていた場合には、組み立てられたカメラを機械的調整工程に戻し、外装部品等を取り外して再度機械的調整により粗調整を行った後、ソフト的調整による高精度に設定する作業が必要となる。
このような不具合を防ぐためにソフト的調整の調整代を大きく設定すると、測光センサに多くの画素が必要となり、その結果、測光センサは使用されない多くの画素を備える不合理なものとなると共にコストアップとなる。
【０００７】
本発明の課題は、円滑で合理的な調整が可能な測光装置とその製造方法および撮像装置を提供することである。
【課題を解決するための手段】
【０００８】
本発明は、以下のような解決手段により前記課題を解決する。なお、理解を容易にするために、本発明の実施形態に対応する符号を付して説明するが、これに限定されるものではない。
【０００９】
請求項１に記載の発明は、被写体光を測光する測光素子（５４）と、前記測光素子（５４）に前記被写体光を入射させる測光光学系（５３）と、を備え、カメラボディ（１１）に設けられる測光装置（５０）であって、前記カメラボディ（１１）に固定された第１部材（４５）と、少なくとも前記測光素子（５４）が搭載され前記第１部材（４５）に対して相対移動して前記測光素子（５４）による測光範囲を機構的に調整可能な第２部材（９０）と、前記測光素子（５４）の画素範囲内における測光に用いる画素範囲を規定することで測光範囲を調整するソフト的測光位置調整部（６０）と、少なくとも前記第２部材（９０）を覆い、締結部材によって前記第１部材（４５）又は前記第２部材（９０）に装着され、その装着によって前記第１部材（４５）又は前記第２部材（９０）に応力を作用させるカバー部材（７１）と、を備えることを特徴とする測光装置（５０）である。
請求項２に記載の発明は、被写体光を測光する測光素子（５４）と、前記測光素子（５４）に前記被写体光を入射させる測光光学系（５３）と、を備え、カメラボディ（１１）に設けられる測光装置（５０）であって、前記カメラボディ（１１）に固定された第１部材（４５）と、少なくとも前記測光素子（５４）が搭載され前記第１部材（４５）に対して相対移動して前記測光素子（５４）による測光範囲を機械的に連続的に移動調整可能な第２部材（９０）と、前記測光素子（５４）の画素範囲内における測光に用いる画素範囲を規定することで測光範囲を調整するソフト的測光位置調整部（６０）と、前記第１部材（４５）又は前記第２部材（９０）に応力を作用させる結合部材（７２）と、を備えることを特徴とする測光装置（５０）である。
請求項３に記載の発明は、請求項２に記載の測光装置（５０）であって、少なくとも前記第２部材（９０）を覆い、前記結合部材（７２）によって、直接的または他の部材を介して間接的に前記第１部材（４５）又は前記第２部材（９０）に装着されるカバー部材（７１）を備え、前記ソフト的測光位置調整部（６０）は、前記カバー部材（７１）の装着後に測光範囲の調整を行うように構成されていること、を特徴とする測光装置（５０）である。
請求項４に記載の発明は、請求項２または請求項３に記載の測光装置（５０）であって、前記カバー部材（７１）を装着する前記結合部材は、ビス（７２）であること、を特徴とする測光装置（５０）である。
請求項５に記載の発明は、請求項２乃至請求項４の何れか１項に記載の測光装置（５０）であって、第１部材（４５）と前記第２部材（９０）に装着する前記結合部材（７２）は、接着剤であること、を特徴とする測光装置（５０）である。
請求項６に記載の発明は、請求項１乃至請求項５のいずれか１項に記載の測光装置（５０）であって、前記第１部材（４５）は前記測光光学系（５３）を含むこと、を特徴とする測光装置（５０）である。
請求項７に記載の発明は、請求項１に記載の測光装置（５０）の製造方法であって、前記第２部材（９０）の前記第１部材（４５）に対する移動によって前記測光素子（５４）による測光範囲を前記ソフト的測光位置調整部（６０）による測光可能な範囲内に調整する第１の工程と、前記カバー部材（７１）を前記第１部材（４５）又は前記第２部材（９０）に装着する第２の工程と、前記ソフト的測光位置調整部（６０）によって前記測光素子（５４）による測光範囲を調整する第３の工程と、を備えることを特徴とする測光装置（５０）の製造方法である。
請求項８に記載の発明は、前記被写体光を結像する撮像光学系と、前記撮像光学系によって結ばれた像を、前記測光光学系（５３）を介して前記測光素子（５４）上に再結像させる請求項１乃至請求項６の何れか１項のいずれか１項に記載の測光装置（５０）と、を備えることを特徴とする撮像装置である。
なお、符号を付して説明した構成は、適宜改良してもよく、また、少なくとも一部を他の構成物に代替してもよい。
【発明の効果】
【００１０】
本発明によれば、円滑で合理的な調整が可能な測光装置とその製造方法および撮像装置を提供できる。
【図面の簡単な説明】
【００１１】
【図１】本発明の一実施形態を適用したカメラの概略図である。
【図２】測光装置の拡大断面図である。
【図３】測光センサにおける測光範囲の位置調整作業の説明図である。
【図４】測光範囲の位置調整の概念を説明する図である。
【発明を実施するための形態】
【００１２】
以下、図面等を参照して、本発明の実施形態について説明する。
図１は、本発明の一実施形態を適用したカメラ１０の概略図である。図２は、測光装置５０の拡大断面図である。なお、図２には、説明と理解を容易にするために、ＸＹＺ直交座標系を設けた。この座標系では、測光センサ５４への光束入射面の裏面側から見て、その撮像画面上において水平右側に向かう方向をＸ軸プラス方向、これと直交する撮像画面上において上側に向かう方向をＹ軸プラス方向、Ｘ軸およびＹ軸と直交して測光センサ５４へ光が入射する方向をＺ軸プラス方向とする。
【００１３】
本実施形態におけるカメラ１０は、カメラボディ１１に撮影レンズ１２が着脱可能に構成され、撮影レンズ１２によって結像された被写体像を電気的な画像情報として記録する、いわゆる一眼レフタイプのデジタルカメラである。
【００１４】
カメラ１０は、カメラボディ１１と、該カメラボディ１１に着脱可能な撮影レンズ１２とから構成される。カメラボディ１１と撮影レンズ１２とには、一対のマウント１３，１４がそれぞれ設けられている。
カメラボディ１１に撮影レンズ１２を装着する際には、撮影レンズ１２に設けられたマウント１４をバヨネット機構等でカメラボディ１１のマウント１３に結合する。
また、これらマウント１３，１４にはそれぞれ電気接点が設けられている。撮影レンズ１２をカメラボディ１１に装着したときには、それぞれのマウント１３，１４に設けられた電気接点が接触し、両者の電気的な接続が確立される。
【００１５】
まず、撮影レンズ１２の構成を説明する。撮影レンズ１２は、撮像光学系２１、ズームエンコーダ２２、レンズ駆動部２３、絞り２４、絞り駆動部２５、及びレンズマイコン２６等を有している。なお、ズームエンコーダ２２、レンズ駆動部２３及び絞り駆動部２５は、それぞれレンズマイコン２６に接続されている。
【００１６】
撮像光学系２１は、ズームレンズ２１ａやフォーカスレンズ２１ｂ等の複数のレンズから構成される。ズームレンズ２１ａは焦点距離を調整するためのレンズであって、ズーム環の操作に応じて光軸Ｌ１方向に移動可能となる。
ズームエンコーダ２２はズームレンズ２１ａに取り付けられ、ズームレンズ２１ａの光軸Ｌ１方向の位置を検出する。フォーカスレンズ２１ｂは合焦位置を調節するためのレンズであって、光軸Ｌ１方向に移動可能となる。レンズ駆動部２３はフォーカスレンズ２１ｂを光軸Ｌ１方向に駆動させる。このフォーカスレンズ２１ｂには、光軸Ｌ１方向の位置を検出する距離エンコーダが取り付けられている。ズームエンコーダ２２や距離エンコーダからの検出信号はレンズマイコン２６に出力される。レンズマイコン２６は、これら検出信号を受けて、撮影時の撮影距離や焦点距離を算出する。これら算出された値は、カメラボディ１１に出力される。
【００１７】
絞り２４は、カメラボディ１１への入射光量を絞り羽根の開閉で調整する。絞り駆動部２５は、絞り２４の開口度を制御する。レンズマイコン２６は、マウント１３，１４の電気接点を介してカメラボディ１１との通信を行うとともに、撮影レンズ１２での各種制御を実行する。また、レンズマイコン２６は、ＲＯＭ（図示省略）に記録されたレンズデータなどをカメラボディ１１に送信する。
【００１８】
なお、図１に示す撮影レンズ１２は一般的なズームレンズユニットの構成の一例である。カメラボディ１１には、上記の撮影レンズ１２のほかにも、例えばレンズマイコンを有しない撮影レンズ１２や、単焦点レンズの撮影レンズ１２などを装着することが可能である。
【００１９】
また、撮影レンズ１２がカメラボディ１１に着脱自在な、一眼レフタイプのカメラ１０の例を取り上げているが、これに限定する必要はなく、撮影レンズ１２がカメラボディ１１に固定される、所謂コンパクトタイプのカメラであってもよい。
【００２０】
つぎに、カメラボディ１１の構成を説明する。カメラボディ１１は、クイックリターンミラー３１、メカニカルシャッタ３２、撮像素子３３、サブミラー３４、焦点検出部３５、ファインダ光学系４０、測光装置５０およびカメラマイコン６０等を備えている。なお、図１においては、カメラボディ１１については電気的な構成については省略してある。
【００２１】
クイックリターンミラー３１、メカニカルシャッタ３２及び撮像素子３３は、撮像光学系２１の光軸Ｌ１に沿って配置される。クイックリターンミラー３１の後方にはサブミラー３４が配置される。また、カメラボディ１１の上部にはファインダ光学系４０、測光装置５０が配置される。さらに、カメラボディ１１の下部領域には焦点検出部３５が配置される。
【００２２】
クイックリターンミラー３１は、回動軸３１ａを中心にして回動可能に軸支されており、図１に示す観察状態と、光軸Ｌ１から退避した退避状態との間で切り替え可能となっている。観察状態のクイックリターンミラー３１は、メカニカルシャッタ３２及び撮像素子３３の前方で傾斜配置される。この観察状態にあるクイックリターンミラー３１は、撮像光学系２１を通過した光束を上方へ（光軸Ｌ３方向に）反射してファインダ光学系４０に導く。このクイックリターンミラー３１はハーフミラーとなっており、このクイックリターンミラー３１を透過した一部の光束は、サブミラー３４によって下方に（光軸Ｌ２方向に）反射し、焦点検出部３５に導かれる。なお、焦点検出部３５は、不図示のセパレータレンズで分割された被写体像の像ズレ量を各々のＡＦエリア毎に検出する、いわゆる位相差検出式の焦点検出を行う。
【００２３】
一方、退避状態のクイックリターンミラー３１は、サブミラー３４とともに上方に跳ね上げられて撮影光路から外れた位置まで回動する。クイックリターンミラー３１が退避状態にあるときは、撮像光学系２１を通過した光束がメカニカルシャッタ３２及び撮像素子３３に導かれる。
【００２４】
メカニカルシャッタ３２は、レリーズ操作に応じて開閉し、撮像素子３３に結像する被写体像光の露光時間を制御する。
撮像素子３３は、撮影レンズ１２の撮像光学系２１によってその受光面に結像された被写体像を電気信号に変換する、たとえば、ＣＣＤやＣＭＯＳ等の光電変換素子である。
【００２５】
ファインダ光学系４０は、ファインダスクリーン４１、ペンタプリズム４２及び接眼レンズ４３を備えている。これらファインダ光学系４０を構成する光学要素は、所定の位置関係でファインダブロック４５に支持されて一体のファインダユニットとして構成されている。なお、符号４４は接眼窓である。
【００２６】
ファインダスクリーン４１はクイックリターンミラー３１の上方に位置する。このファインダスクリーン４１には観察状態のクイックリターンミラー３１で反射された光束が結像する。
ファインダスクリーン４１に結像した光束はペンタプリズム４２を通過し、ペンタプリズム４２の入射面に対して９０°の角度を有する射出面に導かれる。そして、ペンタプリズム４２の射出面からの光束は、接眼レンズ４３を透過した後、接眼窓４４を介してユーザの目に到達する。
【００２７】
ファインダスクリーン４１に結像した光束の一部は、ペンタプリズム４２を通過した後、測光装置５０に入射する。
なお、ファインダスクリーン４１から接眼レンズ４３に到達する光束の光軸をＬ３、測光装置５０に入射する光束の光軸をＬ４とすると、光軸Ｌ４は、光軸Ｌ３に対して角度θ傾斜している。
【００２８】
上記構成のファインダ光学系４０は、撮影レンズ１２における撮像光学系２１を介した光束を観察状態のクイックリターンミラー３１で反射してファインダスクリーン４１に結像（一次像）させ、その像をペンタプリズム４２で正立像化して接眼レンズ４３によって拡大し、接眼窓４４を介して観察可能とする。
なお、ファインダ光学系４０を支持するファインダブロック４５は、カメラボディ１１の内部骨格を構成し、図１中に示すように、外装カバー７１がビス７２によって固定されるようになっている。
なお、ファインダブロック４５とは別に内部骨格部材を有し、ファインダブロック４５を内部骨格部材にビスで固定し、内部骨格部材に外装カバー７１がビスで固定するものであっても良い。
【００２９】
測光装置５０は、測光絞り５１，ＩＲカットフィルタ５２，測光レンズ５３及び測光センサ５４を備えている。測光装置５０は、ファインダ光学系４０におけるファインダスクリーン４１に結像した被写体像（一次像）を、測光レンズ５３によって測光センサ５４の受光面に二次像として結像させ、測光センサ５４の撮像情報から被写体の光量および色を検出（測光）する。また、測光装置５０の測光センサ５４による撮像情報は、被写体光の測光の他、顔検出や被写体の追尾などに用いられる。この測光装置５０については、後に詳述する。
【００３０】
カメラマイコン６０は、ＣＰＵを備え、カメラボディ１１および前述した撮影レンズ１２を含んで各構成要素を統括的に制御する。また、カメラマイコン６０は、メモリ６１に制御データを記録する。
また、カメラマイコン６０は、測光装置５０における測光センサ５４の有効画素範囲中に、撮像素子３３による撮影範囲と対応した測光画素範囲を設定し、それをメモリ６１に記憶させてその測光画素範囲を測光に用いる。つまり、カメラマイコン６０は、測光センサ５４による測光範囲の位置調整をソフト的に行う機能を有している。このソフト的位置調整については、後に詳述する。
【００３１】
そして、上記のように構成されたカメラ１０は、図示しないシャッタボタンが押圧操作（レリーズ操作）されると、カメラマイコン６０によって制御され、クイックリターンミラー３１が退避状態に移動すると共にメカニカルシャッタ３２が開閉し、撮像素子３３が被写体像光を電気信号に変換してその撮像データを図示しない記録部に記録する（撮影）する。
【００３２】
つぎに、図２に拡大断面図を示す測光装置５０について詳細に説明する。
測光装置５０は、前述したように、測光絞り５１，ＩＲカットフィルタ５２，測光レンズ５３及び測光センサ５４を備えている。
測光絞り５１は、絞り開口が形成されており、測光装置５０への入射光を制限する。
ＩＲカットフィルタ５２は、入射光に含まれる赤外光を吸収し、他の周波数領域の光を透過させる。
【００３３】
測光レンズ５３は、光束を反射屈曲させる三角プリズムと結像レンズの機能を備え、測光絞り５１の絞り開口を通過してＩＲカットフィルタ５２を透過した光束を、反射面５３Ｍでその上側に配置された測光センサ５４に向けて反射させると共に、測光センサ５４の受光面５４ａに再結像させる。
【００３４】
測光センサ５４は、その受光面に再結像された光束を受光する。この測光センサ５４としては、複数のフォトダイオードが二次元状に配列されたＣＣＤイメージセンサやＣＭＯＳイメージセンサが用いられる。測光センサ５４の有効画素範囲は、測光に必要な測光画素範囲に対してカメラマイコン６０による測光範囲のソフト的位置調整の調整代を加えて広く設定されている。
【００３５】
測光絞り５１，ＩＲカットフィルタ５２および測光レンズ５３は、ファインダ光学系４０を支持するファインダブロック４５の後述する測光支持部８０に、所定の位置関係で設けられている。また、測光センサ５４は、センサホルダ９０に支持され、このセンサホルダ９０を介してファインダブロック４５に位置決め固定されている。
【００３６】
ファインダ光学系４０を支持するファインダブロック４５は、ペンタプリズム４２から接眼レンズ４３に光束を導く導光空間の天面板４５Ａの上側に、測光装置５０の構成要素の一部（測光レンズ５３等）を支持する測光支持部８０を備えている。
測光支持部８０は、周囲に所定高さの壁板８１が立設されている。壁板８１の上面は、Ｘ−Ｙ平面と平行なセンサホルダ装着平面８１Ａとなっており、ここに、センサホルダ９０が位置決め固定される。
前面側の壁板８１Ｆには入射口８１Ｂが開口形成されており、その壁板８１Ｆの前面とペンタプリズム４２との間に測光絞り５１が介設され、また、壁板８１Ｆの内面に沿ってＩＲカットフィルタ５２が支持されている。
【００３７】
測光支持部８０の底面には、３本の支持突起８２が突設されると共にその内の２本は位置決め突起８３を備えている。支持突起８２の上面はＸ−Ｙ平面と平行な支持面８２Ｐとされ、位置決め突起８３は支持面８２Ｐに突設されている。これら支持突起８２および位置決め突起８３は、測光レンズ５３を位置決め支持する。
なお、図２には、３本の支持突起のうちの２本（そのうちの１本に位置決め突起を備える）のみが表れている。
【００３８】
測光レンズ５３は、前述した光学要素としての機能部位から支持部５３Ａが延設されており、その支持部５３Ａに３カ所の当接面５３Ｐと２カ所の位置決め穴５３Ｈとを備えている。そして、測光レンズ５３は、当接面５３Ｐが測光支持部８０における支持突起８２の支持面８２Ｐに支持されてＸ−Ｙ平面と直交するＺ軸方向に位置決めされると共に、位置決め穴５３Ｈが位置決め突起８３に嵌合することでＸ軸方向およびＹ軸方向に位置決めされている。そして、測光レンズ５３は、位置決め穴５３Ｈから突出した位置決め突起８３に接着剤５５によって接着され、測光支持部８０に固定されている。
なお、図２には、３カ所の当接面のうちの２カ所と、２カ所の位置決め穴の内の１カ所のみが表れている。
【００３９】
測光センサ５４を支持するセンサホルダ９０は、光束が入射する開口部９１Ａを備える所定厚さの板状の基板９１の上側に、所定幅で所定高さの突部９２が平面形状矩形に立設されており、その突部９２に囲まれた内部に測光センサ５４を支持するように構成されている。
Ｙ軸方向と直交する突部９２の一方の内壁面９２Ｘは位置決め面となっており、ここに、測光センサ５４のパッケージのＹ軸方向と直交する一方の周側面５４Ｘが当接することで、測光センサ５４のセンサホルダ９０に対するＹ軸方向の位置決めが成されるようになっている。また、図示しないが、測光センサ５４は、Ｘ軸方向においても同様に位置決めされるようになっている。また、Ｚ軸方向には、測光センサ５４のパッケージの前面５４Ｚ（入射側の面）が、基板９１の上面９１Ｚに当接して位置決めされるようになっている。
【００４０】
そして、測光センサ５４は、そのパッケージの周側部と突部９２とが接着剤９３によって接着されて、センサホルダ９０に固定されている。
このようにして測光センサ５４を支持したセンサホルダ９０は、ファインダブロック４５側の構成要素とは別体に独立して構成され、測光支持部８０の壁板８１の上面（センサホルダ装着平面８１Ａ）に、その周縁部で接着剤７３によって固定される。
【００４１】
上記のように構成された測光装置５０は、センサホルダ９０をファインダブロック４５における測光支持部８０に固定する際に、センサホルダ９０をＸ−Ｙ平面内で移動調整することで、測光センサ５４による測光範囲の位置調整（機構的な位置調整）を行うことができる。
つまり、測光レンズ５３はファインダ光学系４０におけるファインダブロック４５の測光支持部８０に所定の精度で支持されており、この測光レンズ５３から出射される測光用光束に対して、測光センサ５４を支持するセンサホルダ９０をＸ−Ｙ平面内で移動調整することで、測光範囲の中心が測光用光束の中心に一致するように測光センサ５４を位置させることができるものである。
【００４２】
つぎに、測光センサ５４における測光範囲の位置調整を、図３および図４を参照しつつ、カメラボディ１１の組立工程との関連において説明する。
図３は、測光センサ５４における測光範囲の位置調整作業の説明図である。図４は、測光範囲の位置調整の概念を説明する図であって、（ａ）は機構的位置調整を示し、（ｂ）はソフト的位置調整を示す。
前述したように、カメラボディ１１は、測光装置５０における測光センサ５４の測光範囲の位置調整を、測光装置５０の組み立て時において機構的に行うことが可能であると共に、カメラマイコン６０によってソフト的に行うことができるように構成されている。
【００４３】
測光センサ５４の測光範囲の機構的およびソフト的な位置調整は、図３に示すように、カメラボディ１１に撮影レンズ１２を装着した状態で、撮影レンズ１２の被写界に、中心に穴１０１が開いたチャート１００を、その穴１０１を光軸Ｌ１の延長線上に一致させて配置して行う。このように設定して、チャート１００の後方から照明すると、撮影レンズ１２の撮像光学系２１によってファインダ光学系４０のファインダスクリーン４１上に穴１０１の一次像１１１が結像する。さらに、測光装置５０における測光レンズ５３によって測光センサ５４の受光面に一次像１１０の二次像１１２が結像する。
【００４４】
上記のような構成では、チャート１００の穴１０１は撮影レンズ１２の光軸Ｌ１の延長線上に配置されているため、穴１０１の一次像１１１の位置は、撮像素子３３による撮像範囲の中央に対応する（光軸Ｌ１が撮像素子３３による撮像範囲の中央に一致していることが前提）。
従って、測光センサ５４における測光範囲の中心を撮像素子３３による撮像範囲の中心に一致させるには、測光センサ５４における測光範囲の中心に二次像１１２が位置するように設定すれば良い。
【００４５】
ここで、機構的位置調整は、測光センサ５４をＸ−Ｙ方向に移動させてその有効画素範囲の中心に二次像１１２が位置するように設定する。この場合、測光センサ５４における測光画素範囲の中心は、有効画素範囲の中心と一致する。一方、ソフト的位置調整は、測光センサ５４（有効画素範囲）を移動させることなく、二次像１１２を中心として測光画素範囲を設定する。
【００４６】
つぎに、図４を参照して、測光センサ５４の位置調整工程を説明する。
測光センサ５４の位置調整工程は、まず、外装カバー７１が未装着の状態で機構的な位置調整を行い、外装カバー７１を装着した後、ソフト的な位置調整を行う。
機構的な位置調整は、前述した図３のようにカメラ１とチャート１００とをセットした状態でセンサホルダ９０を直接保持し、測光センサ５４による撮像画面を確認しつつファインダブロック４５における測光支持部８０のセンサホルダ装着平面８１Ａ上でＸ−Ｙ方向に移動させて行う。
【００４７】
すなわち、図４（ａ）に示すように、チャート１０１から測光センサ５４に至るまでの構成の精度が全て設計値通りであれば、チャート１００の穴１０１の二次像１１２は測光センサ５４の有効画素範囲５４Ｅの中心５４Ｃに一致するが、実際には部品や組立の誤差によって有効画素範囲５４Ｅの中心５４ＣからＸ−Ｙ平面内でずれを生ずる。
【００４８】
そこで、センサホルダ９０（測光センサ５４）を図中矢印ＦＭで示すように移動させ、測光センサ５４の有効画素範囲５４Ｅの中心５４Ｃが二次像１１２に一致するように位置決めし、センサホルダ９０をファインダブロック４５における測光支持部８０に接着剤７３によって固定する。測光画素範囲５４Ｍは、有効画素範囲５４Ｅと共に一体的に移動し、その中心は有効画素範囲５４Ｅの中心と一致している。
この機構的な位置調整は、前述したように、外装カバー７１など、一部が未組み立ての状態で行う。
【００４９】
つぎに、外装カバー７１など、カメラボディ１１をメカ的に全て組み立てる。このとき、ビス７２による締結等のカメラボディ１１の基本構造にかかる力による変形や、調整後の接着剤７３の硬化時の収縮による測光センサ５４の位置ずれなどに起因して、図４（ｂ）に示すように、機構的な位置調整によって位置決めした有効画素範囲５４Ｅの中心５４Ｃがずれてしまうことがある。
【００５０】
そこで、再び図３に示すようにチャート１００とカメラ１０を配置し、ソフト的な位置調整を行う。
すなわち、図４（ｂ）に示すように、カメラボディ１１の組み立て後に、チャート１００の穴１０１の二次像１１２が測光センサ５４の有効画素範囲５４Ｅの中心５４Ｃに対してずれている場合には、その二次像１１２の位置を中心として測光画素範囲５４Ｍを設定する。すなわち、測光画素範囲５４Ｍの中心を図中矢印ＦＳで示すように移動させる。
このソフト的位置調整は、カメラボディ１１が全て組み立てられた後に行うので、工場出荷前の測光センサ５４の測光範囲のずれを検査する工程と兼ねることができる。
【００５１】
以上、本実施形態によると、以下の効果を有する。
（１）カメラボディ１１に撮影レンズ１２を装着した状態でチャート１００を測光センサ５４で撮像し、そのチャート１００の穴１０１の像を用いて測光センサ５４の位置を調整する。これにより、撮影レンズ１２の取付け部から測光センサ５４に至るまでの誤差に起因する位置ずれを調整でき、より精度の高い測光位置の調整が可能である。
【００５２】
（２）カメラボディ１１が全て組み立てられた後で行うソフト的位置調整は、機構的位置調整における残存誤差および調整後の組立工程に起因する位置ずれのみを取ることができればよく、ソフト的位置調整の調整代を小さくして無駄な画素の削減が可能となり、測光センサ５４のコストダウンとなる。
【００５３】
（３）外装カバー７１の装着前に機構的位置調整で高精度な位置調整を行うことができるため、組立終了後に測光センサの測光範囲のずれを検査する工程においてソフト的位置調整を行う構成としても、その工程で位置調整の調整代に入らないことが判明するカメラボディ１１が発生する確率は極めて低くなる。よって、組立工程の直行率が向上する。
【００５４】
（変形形態）
以上、説明した実施形態に限定されることなく、以下に示すような種々の変形や変更が可能であり、それらも本発明の範囲内である。
（１）本実施形態では、測光装置５０における測光レンズ５３を、光束を反射屈曲させる三角プリズムと結像レンズの機能を兼ね備えるものとしたが、これに限らず複数の光学素子によって構成しても良い。
なお、実施形態及び変形形態は、適宜組み合わせて用いることもできるが、詳細な説明は省略する。また、本発明は以上説明した実施形態によって限定されることはない。
【符号の説明】
【００５５】
１０：カメラ、１１：カメラボディ、１２：撮影レンズ、２１：撮像光学系、４５：ファインダブロック、５０：測光装置、５３：測光レンズ、５４：測光センサ、５４Ｅ：有効画素範囲、５４Ｍ：測光画素範囲、６０：カメラマイコン、７１：外装カバー、７２：ビス、９０：センサホルダ
【図１】
2013257495.tif 000003
【図２】
2013257495.tif 000004
【図３】
2013257495.tif 000005
【図４】
2013257495.tif 000006